(57)【要約】【課題】カメラ装置、或いはオーディオ・カメラ複合装置とされる記録再生装置の操作性、使用性の向上。【解決手段】  カメラモードにおいて、レンズカバー手段が開状態となったことで撮像スタンバイ状態とし、一方、レンズカバー手段が閉状態となったことで画像閲覧状態とする。またオーディオモードにおいてレンズカバー手段が開けられたら撮像スタンバイ状態とする。つまりレンズカバー手段の開閉に応じて適切な動作状態の遷移を行い、ユーザーが直感的に理解できる操作性を実現する。【選択図】      図５
2006129123.tif 000002
【特許請求の範囲】
【請求項１】
撮像レンズ手段と、
上記撮像レンズ手段を介して得られる被写体画像としての撮像データを記録媒体に記録し、また記録媒体に記録された撮像データを再生する記録再生手段と、
撮像データを表示する表示手段と、
上記撮像レンズ手段を表出させ撮像可能とする開状態と、上記撮像レンズ手段を遮蔽する閉状態とが切り換えられるレンズカバー手段と、
上記レンズカバー手段の開状態、閉状態を検出する検出手段と、
上記検出手段により上記レンズカバー手段が開状態となったことが検出されたら、動作状態を、上記記録再生手段による撮像データの記録を実行させることのできる撮像スタンバイ状態とし、一方、上記検出手段により上記レンズカバー手段が閉状態となったことが検出されたら、動作状態を、上記記録媒体から再生された撮像データを上記表示手段において表示させる画像閲覧状態とする制御手段と、
を備えたことを特徴とする記録再生装置。
【請求項２】
動作を起動するための起動操作手段をさらに備え、
上記制御手段は、上記起動操作手段が操作された場合は、
上記検出手段により上記レンズカバー手段が開状態であることが検出されていれば、動作状態を、上記撮像スタンバイ状態とし、一方、上記検出手段により上記レンズカバー手段が閉状態であることが検出されていれば、動作状態を、上記画像閲覧状態とすることを特徴とする請求項１に記載の記録再生装置。
【請求項３】
撮像レンズ手段と、
上記撮像レンズ手段を介して得られる被写体画像としての撮像データを記録媒体に記録し、また記録媒体に記録された撮像データ又はオーディオデータを再生する記録再生手段と、
撮像データを表示する表示手段と、
上記撮像レンズ手段を表出させ撮像可能とする開状態と、上記撮像レンズ手段を遮蔽する閉状態とが切り換えられるレンズカバー手段と、
上記レンズカバー手段の開状態、閉状態を検出する検出手段と、
動作状態がオーディオモードとされて上記記録再生手段によるオーディオデータの再生動作が実行中又は停止中である場合に、上記検出手段により上記レンズカバー手段が開状態となったことが検出されたら、動作状態を上記オーディオモードから上記カメラモードに切り換え、上記記録再生手段による撮像データの記録を実行させることのできる撮像スタンバイ状態とする制御手段と、
を備えたことを特徴とする記録再生装置。
【請求項４】
上記制御手段は、上記カメラモードとされている際において、
上記検出手段により上記レンズカバー手段が開状態となったことが検出されたら、動作状態を、上記撮像スタンバイ状態とし、一方、上記検出手段により上記レンズカバー手段が閉状態となったことが検出されたら、動作状態を、上記記録媒体から再生された撮像データを上記表示手段において表示させる画像閲覧状態とすることを特徴とする請求項３に記載の記録再生装置。
【請求項５】
上記制御手段は、
上記オーディオモードとされて上記記録再生手段によるオーディオデータの再生動作が実行中である場合に、上記検出手段により上記レンズカバー手段が開状態となったことが検出されたら、上記オーディオデータの再生動作を停止させて、動作状態を上記オーディオモードから上記カメラモードに切り換え、上記撮像スタンバイ状態とすることを特徴とする請求項３に記載の記録再生装置。
【請求項６】
上記カメラモードを起動するための起動操作手段をさらに備え、
上記制御手段は、上記オーディオモードの際に上記起動操作手段が操作された場合は、
上記検出手段により上記レンズカバー手段が開状態であることが検出されていれば、動作状態を、上記カメラモードにおける上記撮像スタンバイ状態とし、一方、上記検出手段により上記レンズカバー手段が閉状態であることが検出されていれば、動作状態を、上記カメラモードにおける、上記記録媒体から再生された撮像データを上記表示手段で表示させる画像閲覧状態とすることを特徴とする請求項３に記載の記録再生装置。
【請求項７】
上記制御手段は、上記オーディオモードとされて上記記録再生手段によるオーディオデータの再生動作が実行中であるときに、動作状態を上記カメラモードに切り換える場合は、上記オーディオデータの再生動作を停止させるとともに、オーディオ再生の停止ポイントを記憶し、
また上記制御手段は、上記停止ポイントの記憶後に、オーディオモードで上記記録再生手段によるオーディオデータの再生動作を開始させる際には、記憶されている上記停止ポイントからのオーディオデータの再生を実行させることを特徴とする請求項３に記載の記録再生装置。
【請求項８】
上記制御手段は、
上記オーディオモードとされて上記記録再生手段によるオーディオデータの再生動作が実行中又は停止中である場合に、上記検出手段により上記レンズカバー手段が開状態から閉状態となったことが検出されても、動作状態の切り換えは行わないことを特徴とする請求項３に記載の記録再生装置。
【請求項９】
動作状態として、撮像レンズ手段を介して得られる被写体画像としての撮像データの記録を実行させることのできる撮像スタンバイ状態と、記録媒体から再生された撮像データを表示手段に表示させる画像閲覧状態とを切り換えることのできる記録再生装置における動作状態切換方法として、
上記撮像レンズ手段に対して設けられたレンズカバー手段が、上記撮像レンズ手段を表出させ撮像可能とする開状態とされたか、上記撮像レンズ手段を遮蔽する閉状態とされたかを検出する検出ステップと、
上記検出ステップにより上記レンズカバー手段が開状態となったことが検出されることに応じて、動作状態を、上記撮像スタンバイ状態とする第１の動作状態切換ステップと、
上記検出ステップにより上記レンズカバー手段が閉状態となったことが検出されることに応じて、動作状態を、上記画像閲覧状態とする第２の動作状態切換ステップと、
を備えたことを特徴とする動作状態切換方法。
【請求項１０】
動作状態としてカメラモードとオーディオモードが切換可能とされ、
上記カメラモードでは、動作状態を、撮像レンズ手段を介して得られる被写体画像としての撮像データの記録を実行させることのできる撮像スタンバイ状態と、記録媒体から再生された撮像データを表示手段に表示させる画像閲覧状態とを切り換えることができ、
上記オーディオモードでは、記録媒体に記録されたオーディオデータを再生出力することのできる記録再生装置における動作状態切換方法として、
上記撮像レンズ手段に対して設けられたレンズカバー手段が、上記撮像レンズ手段を表出させ撮像可能とする開状態とされたか、上記撮像レンズ手段を遮蔽する閉状態とされたかを検出する検出ステップと、
上記オーディオモードとされているときに、上記検出手段により上記レンズカバー手段が開状態となったことが検出されたら、動作状態を、上記カメラモードにおける上記撮像スタンバイ状態に切り換える動作状態切換ステップと、
を備えたことを特徴とする動作状態切換方法。
【請求項１１】
さらに、
上記カメラモードとされているときに、上記検出ステップにより上記レンズカバー手段が開状態となったことが検出されることに応じて、動作状態を、上記撮像スタンバイ状態とする第１のカメラモード内動作状態切換ステップと、
上記カメラモードとされているときに、上記検出ステップにより上記レンズカバー手段が閉状態となったことが検出されることに応じて、動作状態を、上記画像閲覧状態とする第２のカメラモード内動作状態切換ステップと、
を備えたことを特徴とする請求項１０に記載の動作状態切換方法。
【発明の詳細な説明】
【技術分野】
【０００１】
本発明は、いわゆるデジタルスチルカメラとしてのカメラ装置、及びオーディオ再生装置とデジタルカメラの両方の機能を備えたオーディオ・カメラ複合装置として実現される記録再生装置に関する。また、その記録再生装置における動作状態切換方法に関する。
【背景技術】
【０００２】
【特許文献１】特開２００３−６６５２２号公報
【特許文献２】特開２００１−３４３６８０号公報
【０００３】
ＣＣＤセンサ或いはＣＭＯＳセンサなどの固体撮像素子を用いて被写体の画像信号を得、これを撮像データとして記録媒体に記録するデジタルスチルカメラが普及している。
これらデジタルスチルカメラでは、撮像レンズの保護のために、筐体上に例えばスライド式のレンズカバーが設けられているものがある（上記特許文献１，２等参照）。さらには、レンズカバーのスライドが起動操作を兼ねるようにしたものも知られている。その場合、レンズカバーをスライドさせて撮像レンズを表出させることで、カメラ動作が起動される。
【発明の開示】
【発明が解決しようとする課題】
【０００４】
ところで近年、デジタルスチルカメラとしての装置の小型化が盛んに進められており、携帯性の向上が図られている。
また他方で、電子機器の複合機能化が進む傾向にあり、デジタルスチルカメラとしての構成要素である撮像素子や回路構成の小型化も進んでいることで、デジタルスチルカメラとしての機能が例えば携帯電話機等に搭載されるなどの状況にある。
ここにおいて、例えば光ディスクに記録されたオーディオデータを再生する携帯用再生装置においても、カメラ機能を搭載するものが開発されている。
【０００５】
このようにカメラ装置の小型化が進む場合や、或いはオーディオ再生及びカメラ機能を備えた携帯用の複合装置などを考える場合、その機器のユーザーインターフェースが適切であることが特に重要となる。
まず、携帯用の小型の装置の場合、操作キー等の操作子を多数配置することが困難である。
また、ユーザーが即座に迷いなく操作できるような操作性、つまり直感的に分かりやすい操作性が求められる。特にオーディオ・カメラ複合装置などの場合、オーディオ再生動作とカメラ撮像動作の切換操作や、動作状態がユーザーにわかりやすいものでなければならない。
【課題を解決するための手段】
【０００６】
本発明はこのような課題に鑑み、カメラ装置やオーディオ・カメラ複合装置として実現される記録再生装置において、操作子を削減すると共に、より好適な操作性、使用性を実現することを目的とする。
【０００７】
本発明の記録再生装置は、撮像レンズ手段と、上記撮像レンズ手段を介して得られる被写体画像としての撮像データを記録媒体に記録し、また記録媒体に記録された撮像データを再生する記録再生手段と、撮像データを表示する表示手段と、上記撮像レンズ手段を表出させ撮像可能とする開状態と、上記撮像レンズ手段を遮蔽する閉状態とが切り換えられるレンズカバー手段と、上記レンズカバー手段の開状態、閉状態を検出する検出手段と、制御手段とを備える。制御手段は、上記検出手段により上記レンズカバー手段が開状態となったことが検出されたら、動作状態を、上記記録再生手段による撮像データの記録を実行させることのできる撮像スタンバイ状態とし、一方、上記検出手段により上記レンズカバー手段が閉状態となったことが検出されたら、動作状態を、上記記録媒体から再生された撮像データを上記表示手段において表示させる画像閲覧状態とする。
また、撮像のための動作を起動するための起動操作手段をさらに備え、上記制御手段は、上記起動操作手段が操作された場合は、上記検出手段により上記レンズカバー手段が開状態であることが検出されていれば、動作状態を、上記撮像スタンバイ状態とし、一方、上記検出手段により上記レンズカバー手段が閉状態であることが検出されていれば、動作状態を、上記画像閲覧状態とする。
【０００８】
本発明の記録再生装置は、撮像レンズ手段と、上記撮像レンズ手段を介して得られる被写体画像としての撮像データを記録媒体に記録し、また記録媒体に記録された撮像データ又はオーディオデータを再生する記録再生手段と、撮像データを表示する表示手段と、上記撮像レンズ手段を表出させ撮像可能とする開状態と上記撮像レンズ手段を遮蔽する閉状態とが切り換えられるレンズカバー手段と、上記レンズカバー手段の開状態、閉状態を検出する検出手段と、制御手段とを備える。制御手段は、動作状態がオーディオモードとされて上記記録再生手段によるオーディオデータの再生動作が実行中又は停止中である場合に、上記検出手段により上記レンズカバー手段が開状態となったことが検出されたら、動作状態を上記オーディオモードから上記カメラモードに切り換え、上記記録再生手段による撮像データの記録を実行させることのできる撮像スタンバイ状態とする。
また上記制御手段は、上記カメラモードとされている際において、上記検出手段により上記レンズカバー手段が開状態となったことが検出されたら、動作状態を、上記撮像スタンバイ状態とし、一方、上記検出手段により上記レンズカバー手段が閉状態となったことが検出されたら、動作状態を、上記記録媒体から再生された撮像データを上記表示手段において表示させる画像閲覧状態とする。
また上記制御手段は、上記オーディオモードとされて上記記録再生手段によるオーディオデータの再生動作が実行中である場合に、上記検出手段により上記レンズカバー手段が開状態となったことが検出されたら、上記オーディオデータの再生動作を停止させて、動作状態を上記オーディオモードから上記カメラモードに切り換え、上記撮像スタンバイ状態とする。
また上記カメラモードを起動するための起動操作手段をさらに備え、上記制御手段は、上記オーディオモードの際に上記起動操作手段が操作された場合は、上記検出手段により上記レンズカバー手段が開状態であることが検出されていれば、動作状態を、上記カメラモードにおける上記撮像スタンバイ状態とし、一方、上記検出手段により上記レンズカバー手段が閉状態であることが検出されていれば、動作状態を、上記カメラモードにおける、上記記録媒体から再生された撮像データを上記表示手段で表示させる画像閲覧状態とする。
また上記制御手段は、上記オーディオモードとされて上記記録再生手段によるオーディオデータの再生動作が実行中であるときに、動作状態を上記カメラモードに切り換える場合は、上記オーディオデータの再生動作を停止させるとともに、オーディオ再生の停止ポイントを記憶し、さらに上記制御手段は、上記停止ポイントを記憶した後に、オーディオモードで上記記録再生手段によるオーディオデータの再生動作を開始させる際には、記憶されている上記停止ポイントからのオーディオデータの再生を実行させる。
また上記制御手段は、上記オーディオモードとされて上記記録再生手段によるオーディオデータの再生動作が実行中又は停止中である場合に、上記検出手段により上記レンズカバー手段が開状態から閉状態となったことが検出されても、動作状態の切り換えは行わない。
【０００９】
本発明の動作状態切換方法は、動作状態として、撮像レンズ手段を介して得られる被写体画像としての撮像データの記録を実行させることのできる撮像スタンバイ状態と、記録媒体から再生された撮像データを表示手段に表示させる画像閲覧状態とを切り換えることのできる記録再生装置における動作状態切換方法である。そして、上記撮像レンズ手段に対して設けられたレンズカバー手段が、上記撮像レンズ手段を表出させ撮像可能とする開状態とされたか、上記撮像レンズ手段を遮蔽する閉状態とされたかを検出する検出ステップと、上記検出ステップにより上記レンズカバー手段が開状態となったことが検出されることに応じて、動作状態を、上記撮像スタンバイ状態とする第１の動作状態切換ステップと、上記検出ステップにより上記レンズカバー手段が閉状態となったことが検出されることに応じて、動作状態を、上記画像閲覧状態とする第２の動作状態切換ステップとを備える。
【００１０】
また本発明の動作状態切換方法は、動作状態としてカメラモードとオーディオモードが切換可能とされ、上記カメラモードでは、動作状態を、撮像レンズ手段を介して得られる被写体画像としての撮像データの記録を実行させることのできる撮像スタンバイ状態と、記録媒体から再生された撮像データを表示手段に表示させる画像閲覧状態とを切り換えることができ、上記オーディオモードでは、記録媒体に記録されたオーディオデータを再生出力することのできる記録再生装置における動作状態切換方法である。そして、上記撮像レンズ手段に対して設けられたレンズカバー手段が、上記撮像レンズ手段を表出させ撮像可能とする開状態とされたか、上記撮像レンズ手段を遮蔽する閉状態とされたかを検出する検出ステップと、上記オーディオモードとされているときに、上記検出手段により上記レンズカバー手段が開状態となったことが検出されたら、動作状態を、上記カメラモードにおける上記撮像スタンバイ状態に切り換える動作状態切換ステップとを備える。
またさらに、上記カメラモードとされているときに、上記検出ステップにより上記レンズカバー手段が開状態となったことが検出されることに応じて、動作状態を、上記撮像スタンバイ状態とする第１のカメラモード内動作状態切換ステップと、上記カメラモードとされているときに、上記検出ステップにより上記レンズカバー手段が閉状態となったことが検出されることに応じて、動作状態を、上記画像閲覧状態とする第２のカメラモード内動作状態切換ステップとを備える。
【００１１】
以上の本発明は、撮像レンズ手段を開閉するレンズカバー手段を、動作状態の遷移の操作に利用するものである。
このとき、レンズカバー手段を開ける操作は、ユーザーがカメラモードとして撮像を行う意志がある場合と考え、またレンズカバー手段を閉める操作は、ユーザーが撮像以外の動作を求めている場合であると考えて、適切な動作状態遷移を実行する。
【発明の効果】
【００１２】
本発明によれば、次のような効果が得られる。
本発明の記録再生装置としてのカメラ装置、或いはオーディオ・カメラ複合装置におけるカメラモード時においては、レンズカバー手段が開状態となったことで撮像スタンバイ状態とし、一方、レンズカバー手段が閉状態となったことで画像閲覧状態とすることで、ユーザーの意志に応じた適切な動作状態遷移が実行される。ユーザーはレンズカバー手段の操作により、直感的な操作として撮像と、画像閲覧を切り換えることができ、操作性は向上される。また、レンズカバー手段を撮像スタンバイ状態と画像閲覧状態を切り換えるための操作子とすることで、これらの状態遷移のための操作子を設ける必要はなく、操作子数の削減が可能となり、小型携帯用の機器として好適である。
さらに、撮像レンズを使用しない画像閲覧状態において、必ずレンズカバー手段が閉じられることになるため、撮像レンズの保護にも好適である。
【００１３】
また本発明の記録再生装置としてのカメラ装置、或いはオーディオ・カメラ複合装置において、カメラ機能としての動作（或いはカメラモード）を起動するための起動操作手段（カメラオン／オフキー）をさらに備える場合、その起動操作手段が操作されたときに、レンズカバー手段が開状態であれば撮像スタンバイ状態とし、一方、レンズカバー手段が閉状態であれば画像閲覧状態とすることで、カメラ機能を起動する際にユーザーの意図する状態で起動できる。これも操作性の向上につながる。
【００１４】
本発明の記録再生装置がオーディオ・カメラ複合装置とされる場合において、オーディオモードとされてオーディオ再生動作が実行中又は停止中である場合に、レンズカバー手段が開けられたら、動作状態をカメラモードに切り換え、撮像スタンバイ状態とすることで、ユーザーはオーディオ使用状態から即座に撮像状態に移行できる。つまりオーディオモードであったとしてもレンズカバー手段を開けるだけで撮像可能状態となることで、ユーザーは操作上の迷いなく、直感的な操作で撮像スタンバイとし、直ぐに撮像を行うことができる。これによって例えばモード切換操作にとまどってシャッタチャンスを逃すことなどが解消され、使用性を大きく向上させる。
【００１５】
また、オーディオモードにおいてオーディオ再生動作中にレンズカバー手段が開けられてカメラモード（撮像スタンバイ状態）に移行するときに、オーディオ再生を停止させる。これによっては、ユーザーは機器がカメラモードに移行したことを明確に認識できる。また、カメラモードにおいてオーディオ再生が実行されないことも認識でき、これは操作子の削減に好適である。つまり、カメラモードとオーディオモードで機能が変化する兼用キー等を設けることが容易であると共に、ユーザーがモード変移を確実に認識できることで、兼用キーの機能変化も認識し易く、兼用操作子の操作に混乱を生じさせない。
【００１６】
さらに、実行中のオーディオ再生動作を停止させてカメラモードに切り換える場合は、オーディオ再生の停止ポイント（リジュームポイント）を記憶する。そしてその後、オーディオモードに復帰して再生動作を開始する際には、記憶されている停止ポイントからのオーディオデータの再生を実行させる。これによって、撮像のためにオーディオ再生が一旦停止されても、その後ユーザーは続きの場所からオーディオ再生を楽しむことができる。従って、オーディオモードに戻った後に、続きの位置をサーチするなどの煩雑な操作は不要となる。又これによって、オーディオ再生を楽しんでいるときでも、ユーザーは、その再生位置を気にせずに躊躇なくレンズカバー手段を開けて撮像を行うことができる。
【００１７】
またオーディオモードとされてオーディオ再生動作が実行中又は停止中である場合に、レンズカバー手段が開状態から閉状態となったことが検出されても、動作状態の切り換えは行わない。レンズカバー手段は、本来撮像レンズを保護する機能があり、撮像を行わないオーディオモード時には、レンズカバー手段は閉状態にあるべきである。ここで、例えばレンズカバー手段が開状態のままオーディオモードとされている場合は、ユーザーはある時点でレンズカバー手段を閉めることが予想される。この場合のレンズカバー手段を閉める操作は、レンズ保護のための操作であり、この場合に動作状態が切り換えられることをユーザーは予想しない。従って、オーディオモード時にレンズカバー手段が閉められても、動作状態を変更しないことが、ユーザーの意志に沿ったものであり、操作が混乱することも避けられる。
【００１８】
そして以上のことから、カメラ装置或いはオーディオ・カメラ複合装置としての記録再生装置において、操作子の数の削減による小型機器への有用性や、操作性、使用性の向上が実現される。
【発明を実施するための最良の形態】
【００１９】
以下、本発明の記録再生装置及び動作状態切換方法の実施の形態として、携帯型のオーディオ・カメラ複合装置を例に挙げて説明する。この例のオーディオ・カメラ複合装置は、光ディスクを記録媒体としてオーディオデータの再生を行い、また撮像した静止画データ（撮像データ）を光ディスクに記録し、再生できるものとする。説明は次の順序で行う。
［１．オーディオ・カメラ複合装置の外観構成］
［２．オーディオ・カメラ複合装置の内部構成］
［３．集中コントローラの操作機能］
［４．動作状態遷移］
［５．スリープ状態からの動作状態遷移処理］
［６．停止状態からの動作状態遷移処理］
［７．再生状態からの動作状態遷移処理］
［８．撮像スタンバイ状態からの動作状態遷移処理］
［９．写真閲覧状態からの動作状態遷移処理］
［１０．実施の形態の効果及び変形例］
【００２０】
［１．オーディオ・カメラ複合装置の外観構成］
図１（ａ）（ｂ）（ｃ）（ｄ）（ｅ）（ｆ）に、本例のオーディオ・カメラ複合装置１の正面図、平面図、左側面図、右側面図、底面図、背面図を示す。
このオーディオ・カメラ複合装置１の筐体は、上部筐体２と下部筐体３から成り、上部筐体２は下部筐体３に対して開閉される構造を採っている。詳細な機構の説明は省略するが図１（ｅ）に示す開閉操作子１６を操作することで、上部筐体２が開かれた状態となり、いわゆるミニディスク方式のディスクの装填機構が表出する。そしてディスクが装填された状態で上部筐体２を閉じることで、筐体内部でディスクに対する情報の記録又は再生が実行される。
このオーディオ・カメラ複合装置１は、ディスクを装填することにより、そのディスクに記録されているオーディオデータ（楽曲等）の再生を行うことができ、携帯用のオーディオプレーヤとして機能する。またディスクに対して撮像データの記録再生を行うことができ、デジタルスチルカメラとしても機能することになる。
なお、以下では、オーディオプレーヤとして機能する動作状態をオーディオモード、デジタルスチルカメラとして機能する動作状態をカメラモードと言う。
【００２１】
図１（ａ）のように筐体正面には、例えば液晶パネル等による表示部４が設けられている。この表示部４には、オーディオモード時には、光ディスクに記録されたオーディオデータの選択のための一覧や操作メニュー、再生中のトラックナンバ、進行時間や総演奏時間などの時間情報、操作ガイド、或いはアルバムジャケット画像、スライドショウ画像、サムネイル画像などが表示される。
またカメラモードの場合は、撮像スタンバイ状態にあるときは、その際に撮像素子で取り込まれている被写体画像（実動画）や、シャッタ操作した時点で撮像された静止画像（写真画像）が表示され、また写真閲覧状態にあるときは、過去に撮像した写真（光ディスクに記録された撮像データ）の再生画像やサムネール画像が表示される。
【００２２】
また筐体上の所定位置には各種の操作子が設けられている。
図１（ａ）に示すように筐体正面には操作子として、集中コントローラ５，メニューキー６，ストップ／キャンセルキー７、スライドショウキー８、ディスプレイキー９が設けられる。また図１（ｂ）に示すように筐体上面にはカメラオン／オフキー１０、シャッタボタン１１が設けられる。また図１（ｄ）に示すように筐体側面にはボリュームキー１２，ダウンロードキー１３，ホールドスイッチ１４が設けられる。
集中コントローラ５は、オーディオモード、カメラモードのいずれの場合も主たる操作を行う操作子とされる。この集中コントローラ５の操作機能については図４により後述する。
メニューキー６は、表示部４における操作メニュー表示のオン／オフ操作のためのキーとされる。
ストップ／キャンセルキー７は、再生動作の停止や各種キャンセル操作のためのキーとされる。
スライドショウキー８はスライドショウとして、例えばオーディオ再生時の画像データ表示動作を指示するキーとされる。
ディスプレイキー９は、表示部４における表示モード、表示内容等を切り換えるためのキーとされる。
カメラオン／オフキー１０については後にも述べるが、カメラモードの起動及びカメラモードの終了を指示するキーとされる。
シャッタボタン１１は、カメラモードにおいて撮像タイミングを指示するキーである。シャッタボタン１１により写真画像の撮像が行われる。
ボリュームキー１２は、オーディオ再生時の音量調整キーである。
ダウンロードキー１３は、例えば当該オーディオ・カメラ複合装置１をパーソナルコンピュータに接続した場合などにおいて、データのダウンロードを実行させるためのキーである。
ホールドスイッチ１４は、携帯時等の誤操作をなくすために、各操作子のキーの無効化（ホールド状態）を設定するスライド操作子である。
【００２３】
図１（ｅ）のように筐体前面には、ＵＳＢ端子３が設けられ、ＵＳＢ方式のインターフェースで例えばパーソナルコンピュータ等と接続することが可能とされている。
図１（ｃ）のように筐体側面にはヘッドホン／リモコン端子１８が形成され、リモートコントローラ付きのヘッドホンが接続される。
図１（ｄ）のように筐体側面にはバッテリーボックス開閉部１９が設けられ、このバッテリーボックス開閉を開くことで、バッテリーの挿入／取り出しが可能となる。
【００２４】
図１（ｆ）のように筐体背面側には、スライド操作可能なレンズカバー１５が設けられている。レンズカバー１５は、撮像レンズの保護のために設けられる。
図２（ａ）（ｂ）に、レンズカバー１５のスライドによる開閉状態を示す。
レンズカバー１５は、図２（ａ）のような閉状態と、図２（ｂ）のような開状態とにスライド可能とされている。図２（ｂ）の開状態とすることで、撮像レンズ部１９が表出され、カメラ撮像が可能な状態となる。また図２（ａ）の閉状態では、撮像レンズ部１９が遮蔽され、レンズが保護される状態となる。
詳しくは後述するが、本例では、レンズカバー１５のスライド操作が、動作状態遷移を指示する操作ともなる。
【００２５】
［２．オーディオ・カメラ複合装置の内部構成］
図３によりオーディオ・カメラ複合装置１の内部構成を説明する。
ＣＰＵ３０は装置全体の制御部として機能し、オーディオモードでの再生動作やカメラモードでの撮像動作や画像再生動作や、表示部４の表示動作などのための制御、ユーザー操作の検知、動作状態の遷移処理、外部機器との通信制御などを行う。ＣＰＵ３０はバス５０を介して各部とデータや制御情報のやりとりを行う。
ＲＡＭ３１は、ＣＰＵ３１が演算のワーク領域として用いたり、動作中の情報の記憶に用いる。
ＲＯＭ３２は、ＣＰＵ３１が実行するプログラムや各種処理係数などが記憶される。
不揮発性メモリ３３（ＮＶ−ＲＡＭやフラッシュＲＯＭ）は、各種係数、設定情報、リジュームポイント（再生停止時のアドレス）、その他、電源オフ時にも保持しておくべき情報の記憶に用いられる。
【００２６】
メディアドライブ部３４は、ＣＰＵ３０の制御に基づいて、ディスク９０、例えばミニディスク方式の光ディスク（又は光磁気ディスク）に対する記録再生を行う。このため、ディスク９０に記録すべきデータについての記録フォーマットへのエンコード部、ディスク９０からの再生データのデコード部、記録再生ヘッド、サーボ機構、スピンドルモータ機構などを備える。
バッファメモリ３５は例えばＳＤ−ＲＡＭにより構成され、このバッファメモリ３５では、メディアドライブ部３４に転送してディスク９０に記録させるデータのバッファリングや、メディアドライブ部３４でディスク９０から読み出されたデータのバッファリングが行われる。
また、ディスク９０に記録された管理情報、即ちデータの記録再生動作のために必要なディスク９０の物理情報、エリア情報、記録されたデータファイル情報などは、ディスク９０が装填された際に、ＣＰＵ３０の指示によってメディアドライブ部３４によって読み出されるが、これらの管理情報はバッファメモリ３５はの一部領域に格納され、ＣＰＵ３０が参照できるようにされる。なおＣＰＵ３０は、バッファメモリ３５に格納した管理情報をＲＡＭ３１に取り込んで参照するようにしてもよい。
メモリインターフェース３６は、バッファメモリ３５に格納されるデータの転送処理やバッファメモリ内の書込／読出アドレスの制御処理を行う。
【００２７】
圧縮エンコード／デコード部３７は、例えばＡＴＲＡＣなどの圧縮方式でオーディオデータの圧縮エンコードや圧縮に対するデコードを行う。
圧縮エンコード／デコード部３７でデコード処理されることで例えばリニアＰＣＭデータとされたオーディオデータは、Ｄ／Ａ変換器４７でアナログオーディオ信号に変換され、ヘッドホンアンプ４８に供給される。ヘッドホンアンプ４８では、増幅処理、インピーダンス調整処理などを行い、オーディオ信号をヘッドホン端子４９に供給する。
ヘッドホン端子４９は、図１（ｃ）のヘッドホン／リモコン端子１８におけるヘッドホン端子部分であり、接続されたリモートコントローラ付きのヘッドホンにおいて再生音声が出力されることになる。
【００２８】
なお、図示していないが、例えばライン入力、マイクロホン入力、デジタルオーディオ入力などの入力系が設けられてアナログオーディオ信号又はデジタルオーディオデータが入力される場合、入力されたオーディオ信号は例えばデジタルオーディオデータ形態で圧縮エンコード／デコード部３７に供給され、圧縮エンコードされるようにする。そして圧縮エンコードされたデータがバッファメモリ３５を介してメディアドライブ部３４に転送され、ディスク９０に記録されるようにすることで、オーディオ録音機能を実現することができる。
また、例えばパーソナルコンピュータ等と接続され、オーディオデータがダウンロードされる場合に、該データを圧縮エンコード／デコード部３７で圧縮エンコード処理を行う場合もある。
【００２９】
ＵＳＢインターフェース３９は、ＵＳＢ端子１７を介して接続されるパーソナルコンピュータ等の機器との間のデータ転送処理を行う。
シリアルインターフェース４０は、後述するカメラ／ＬＣＤブロックとの間のデータ入出力処理を行う。
Ａ／Ｄポート４１は、各種ユーザー操作を検出し、Ａ／Ｄ変換値を操作情報としてＣＰＵ３０に供給する。操作キー４４とは、上述した集中コントローラ５，メニューキー６，ストップ／キャンセルキー７、スライドショウキー８、ディスプレイキー９、カメラオン／オフキー１０、シャッタボタン１１、ボリュームキー１２，ダウンロードキー１３を指し、Ａ／Ｄポート４１はこれらの操作子の操作情報を所定の値でＣＰＵ３０に伝える。
また、リモコン端子４６は、図１（ｃ）のヘッドホン／リモコン端子１８におけるリモコン端子部分であり、接続されたヘッドホンに設けられたリモートコントローラからの操作情報がＡ／Ｄポート４１によって検出され、所定の値としてＣＰＵ３０に伝えられる。
シリアルインターフェース４２は、ＣＰＵ３０が指示する表示データをリモコン端子４６からリモートコントローラに供給する。ヘッドホンに設けられたリモートコントローラには表示部が形成されており、その表示部においては、シリアルインターフェース４２を介してＣＰＵ３０から供給された表示制御情報に基づく表示動作が行われる。
【００３０】
ＤＳＰインターフェース４３は、ＣＰＵ３０、ＵＳＢインターフェース３９等のバス５０上の各部と圧縮エンコード／デコード部３７でのデータや制御情報の転送を行う。
ホールドキー１４の操作は、ＣＰＵ３０によって検出される。ＣＰＵ３０はホールドキー１４によってキーの無効化操作がなされている場合、Ａ／Ｄポート４１を介して供給される操作キー４４による操作情報を無効なものとして扱う。
【００３１】
カバー連動スイッチ４５は、レンズカバー１５の開閉に応じてオン／オフが切り換えられるスイッチであり、レンズカバー１５の開閉の検出部として機能する。ＣＰＵ３０はカバー連動スイッチ４５のオン／オフ状態を検知することで、レンズカバー１５が開状態にあるか閉状態にあるかを知ることができる。
【００３２】
カメラ／ＬＣＤブロック３８は、撮像処理系及び表示部４を含む表示処理系としての部位である。
撮像処理系としては、上述した撮像レンズ部１９によって入射される被写体光を検出するＣＣＤセンサ或いはＣＭＯＳセンサ等の固体撮像素子部、固体撮像素子から画素信号を転送し、ゲイン調整やＡ／Ｄ変換を行う撮像信号転送回路、撮像信号転送回路によって得られた撮像画像データに対するホワイトバランス、Ｙ／Ｃ処理等を行うデジタル処理系、撮像画像データに対して圧縮処理やフォーマット処理等を行うエンコード系などが設けられる。
また表示処理系としては、ＣＰＵ３０の表示制御に基づいて表示部４としてのＬＣＤに表示すべき画像、文字、キャラクタ等を形成する表示画像処理部、表示画像に基づいてＬＣＤを駆動する表示駆動回路などが設けられる。
なお、表示画像処理部としての機能は、ＣＰＵ３０が持つものとしてもよい。
【００３３】
このようなオーディオ・カメラ複合装置では、オーディオモードでは、ディスク９０に記録されたオーディオデータの再生が行われる。
ユーザーが操作キー４４又はリモートコントローラを用いて再生操作を行った場合、ＣＰＵ３０はメディアドライブ部３４を制御して、ディスク９０のオーディオファイル（オーディオトラック）の再生を実行させる。
メディアドライブ部３４で再生されたオーディオデータは、バッファメモリ３５に蓄積された後、順次読み出されて圧縮エンコード／デコード部３７に転送され、デコードされる。そしてＤ／Ａ変換器４７でアナログオーディオ信号とされ、ヘッドホンアンプ４８の処理を介して接続されたヘッドホンから音声出力される。
このオーディオモードの際には、カメラ／ＬＣＤブロック３８における表示部４及び表示処理系では、ＣＰＵ３０の制御に基づいて、再生メニュー（曲名等の一覧表示）、再生中の曲名、アーティスト名、時間情報、ジャケット画像、スライドショウ画像などの表示動作を実行する。
【００３４】
カメラモードの場合において、撮像スタンバイ状態にあるときは、ＣＰＵ３０はカメラ／ＬＣＤブロック３８を制御して、被写体画像の取り込み、画像信号処理や、表示部４での被写体画像（実動画）の表示を実行させる。
その状態でユーザーがシャッタボタン１１を押したら、ＣＰＵ３０は、その時点の被写体画像（静止画）を撮像データとして記録する制御を行う。つまり、そのシャッタ操作時の１フレームの画像データを、バッファメモリ３５を介してメディアドライブ部３４に記録データとして供給する。
メディアドライブ部３４はディスク９０に対して、１つの写真画像ファイルとして撮像データを記録する。
カメラモードにおいて写真閲覧状態にあるときは、ＣＰＵ３０はメディアドライブ部３４にディスク９０に記録されている写真画像ファイルのデータの読出を行う。読み出された画像データはバッファメモリ３５を介して、カメラ／ＬＣＤブロック３８に転送され、表示部４に表示される。
なお、写真画像データは１枚づつ表示部４に表示される場合と、サムネール画像として多数の画像が一覧表示される場合がある。ＣＰＵ３０はユーザーの操作に応じて１枚表示とサムネール表示を切り換えるように制御する。
【００３５】
［３．集中コントローラの操作機能］
集中コントローラ５の操作機能について図４で説明する。集中コントローラ５は、カメラモードとオーディオモードで別の操作機能が与えられている兼用操作子である。
図４（ａ）に集中コントローラ５の操作態様を示す。
集中コントローラ５は、まずその中央部を押圧するプッシュ操作が可能とされている。
また中央の周囲の４隅もそれぞれ押圧可能とされ、その上下左右の押圧が、アップ操作、ダウン操作、レフト操作、ライト操作とされる。
さらに集中コントローラ５の外周部分はいわゆるジョグダイヤルとして回転可能に形成されており、右回り或いは左回りのジョグ操作が可能とされている。
【００３６】
これら各操作の操作機能を図４（ｂ）に示す。
まずオーディオモードとされているときの操作機能を説明する。
プッシュ操作は、再生及び一時停止操作、決定（エンター）操作、ブックマーク設定／解除操作となる。
例えば電源オフのスリープ状態や停止状態からプッシュ操作が行われることで、ＣＰＵ３０はそれは再生操作と認識し、再生開始制御を行う。この場合、例えばメニュー画面上などにおいて再生するトラック（例えば曲としてのデータファイル）が選択されていれば、そのトラックの再生を開始させ、また選択されていなければ、ディスク９０における最初のトラックの再生を開始させる。さらに、リジュームポイントとして特定のアドレスが記憶されていれば、ＣＰＵ３０は該リジュームポイントとしてのアドレスからディスク９０の再生を実行させる。
また再生動作中にプッシュ操作が行われた場合、ＣＰＵ３０はそれを一時停止（ポーズ）操作とし、再生音声の出力を一時停止させる。
また、例えば表示部４での操作メニュー表示などにおいてカーソルによる選択操作が行われているときなどにプッシュ操作が行われると、ＣＰＵ３０はそれをエンター操作として認識し、各種決定処理を行う。
また、再生中や一時停止中などに、例えば２秒などの所定時間以上の長押しとしてプッシュ操作が行われた場合は、ＣＰＵ３０はそれをブックマーク設定操作とし、再生位置としてのブックマーク設定を行う。またブックマーク設定箇所において同じく長押しプッシュ操作が行われた場合は、ブックマーク設定を解除する。
【００３７】
ジョグ操作はトラック一覧表示へのトリガ、及びカーソル移動操作となる。
例えばユーザーがジョグ操作を行うと、ＣＰＵ３０は表示部４にトラック一覧表示を行う。さらに、ジョグ操作は連続的に、トラック一覧表示上でのカーソル移動操作とされる。例えばユーザーは、再生させる曲を選択したい場合、ジョグ操作によって所望の曲を選択できる。トラック一覧表示上でカーソルを所望の曲名上に移動させた後、プッシュ操作を行えば、それが選択の決定及び再生操作となる。
【００３８】
レフト操作は、ＦＲ操作（戻り方向頭出し）操作及びレビュー操作（早戻し再生）となる。即ち単押しとしてのレフト操作が、戻り方向のトラック先頭位置へのアクセス操作となり、継続押しとしてのレフト操作が、早戻し再生の操作となる。
ライト操作は、ＦＦ操作（再生進行方向頭出し）操作及びキュー操作（早送り再生）となる。即ち単押しとしてのライト操作が、再生進行方向のトラック先頭位置へのアクセス操作となり、継続押しとしてのライト操作が、早送り再生の操作となる。
【００３９】
アップ操作は、＋方向のフォルダ移動操作及びカーソル移動操作となる。ディスク９０には、多数のオーディオトラック（ファイル）がフォルダにまとめられて管理され、またフォルダも複数持つことができる。アップ操作によっては、フォルダ単位の指定状態の移動が行われる。
またメニュー表示やトラック一覧表示がなされている場合においては、アップ操作はカーソルを上方に移動させる操作となる。
ダウン操作は、−方向のフォルダ移動操作及びカーソル移動操作となる。ダウン操作によっては、上記アップ操作とは逆方向にフォルダ単位の指定状態の移動や、メニュー表示やトラック一覧表示上でのカーソル下方移動が行われる。
【００４０】
カメラモードとされているときの操作機能は次のようになる。
プッシュ操作は、サムネイル表示へのトリガ、クイックレビュー操作、決定（エンター）操作となる。
例えば写真閲覧状態において１枚の写真画像が表示部４に表示されている際にプッシュ操作が行われると、ＣＰＵ３０はそれはサムネイル表示へのトリガ操作と認識し、表示部４にサムネイル画像表示を実行させる制御を行う。
また撮像スタンバイ状態で撮像が行われた後などにプッシュ操作が行われると、ＣＰＵ３０はそれをクイックレビュー操作とし、直前に撮像した画像データの表示など過去に撮像しディスク９０に記録した画像の表示を実行させる。また、サムネイル画像表示中にプッシュ操作が行われると、ＣＰＵ３０は、その際にカーソルで選択されている画像データの１枚表示を実行させる。
また、例えば表示部４での操作メニュー表示などにおいてカーソルによる選択操作が行われているときなどにプッシュ操作が行われると、ＣＰＵ３０はそれをエンター操作として認識し、各種決定処理を行う。
【００４１】
ジョグ操作はズーム操作、及びカーソル移動操作となる。
撮像スタンバイ状態でジョグ操作が行われると、ＣＰＵ３０はそれをズーム操作とし、ズームレンズの制御や信号処理によるズーム制御を実行させる。
さらにサムネイル画像表示やメニュー表示等が行われている場合、ジョグ操作はその回転方向に応じたカーソル移動操作とされる。
【００４２】
レフト操作は、セルフタイマー切換操作及びカーソル移動操作となる。つまりレフト操作によってセルフタイマー機能の切換が行われ、またサムネイル画像表示中などではカーソルの左方向移動が行われる。
ライト操作は、フラッシュ切換操作及びカーソル移動操作となる。つまりライト操作によってフラッシュ機能の切換が行われ、またサムネイル画像表示中などではカーソルの右方向移動が行われる。
アップ操作は、マクロ切換及びカーソル移動操作となる。つまりアップ操作によって、マクロ機能の切換が行われ、またサムネイル画像表示中などではカーソルの上方向移動が行われる。
ダウン操作は、ジャケット写真モード切換、画サイズ切換、及びカーソル移動操作となる。つまりダウン操作によって、ジャケット写真モードの切換が行われ、画サイズとしての１２８０×９６０、６４０×４８０などの各種モードの切換が行われる。またサムネイル画像表示中などではカーソルの下方向移動が行われる。
【００４３】
［４．動作状態遷移］
本例では、オーディオ・カメラ複合装置において各種動作状態の遷移のための操作としてレンズカバー１５の開閉を利用することに特徴を有する。レンズカバー１５の開閉を含めた動作状態の遷移について図５で説明する。
【００４４】
本例において動作状態とは、大きく分けてオーディオモードとカメラモードがある。
そしてオーディオモードにおいては、スリープ状態、停止状態、再生状態という各動作状態がある。
またカメラモードにおいては、撮像スタンバイ状態と写真閲覧状態という各動作状態がある。
スリープ状態とは、装置の主電源がオフとされている状態である。この場合ＣＰＵ３０にはスリープ用の電源電圧が供給され、例えばユーザー操作の検出や時刻計数など、最低限必要とされる処理のみを行っている。
停止状態とは、装置の主電源がオンとされているがオーディオ再生が行われていない状態である。
再生状態とは、オーディオ再生が実行されている状態もしくは再生が一時停止されている状態である。
撮像スタンバイ状態とは、表示部４に被写体の画像が表示され、シャッタボタン１１によって撮像（画像データ記録）が実行できる状態である。
写真閲覧状態とは、ディスク９０に記録された撮像画像データを再生し、１枚表示又はサムネイル表示として表示部４に表示させる状態である。
ＣＰＵ３０は、これらの各動作状態（動作モード）を、図５のＳ１〜Ｓ２１で示す各操作又は条件に応じて以下のように遷移させる。
【００４５】
＜Ｓ１：スリープ状態でのカメラオン／オフキー１０の操作＞
スリープ状態にあるときにカメラオン／オフキー１０が操作されたら、ＣＰＵ３０はカメラモードを起動させる。但し、このカメラオン／オフキー１０が操作されたときにレンズカバー１５が開状態であれば、撮像スタンバイ状態でカメラモードを起動する。
＜Ｓ２：スリープ状態のときにレンズカバー１５が開けられる＞
スリープ状態にあるときに、レンズカバー１５が開けられたら、ＣＰＵ３０はカメラモードを起動させ撮像スタンバイ状態とする。
＜Ｓ３：スリープ状態でのカメラオン／オフキー１０の操作＞
上記Ｓ１の場合のようにスリープ状態にあるときにカメラオン／オフキー１０が操作されたらＣＰＵ３０はカメラモードを起動させるが、このカメラオン／オフキー１０が操作されたときにレンズカバー１５が閉状態であれば、写真閲覧状態でカメラモードを起動する。
＜Ｓ４：スリープ状態からのウェイクアップ系操作＞
スリープ状態にあるときに、ウェイクアップ系操作が行われたら、ＣＰＵ３０はオーディオモードで主電源オンとし、停止状態とする。ウェイクアップ系操作とは、メニューキー６，ディスプレイキー９などの再生動作を伴わない操作を言う。
＜Ｓ５：スリープ状態からの再生操作＞
スリープ状態にあるときに、集中コントローラのプッシュ操作、即ち再生操作が行われたら、ＣＰＵ３０はオーディオモードで主電源オンとし、再生状態とする。つまり再生動作を開始させる。
【００４６】
＜Ｓ６：停止状態でのカメラオン／オフキー１０の操作＞
停止状態にあるときにカメラオン／オフキー１０が操作されたら、ＣＰＵ３０はオーディオモードからカメラモードに切り換える。但し、このカメラオン／オフキー１０が操作されたときにレンズカバー１５が開状態であれば、撮像スタンバイ状態でカメラモードを起動する。
＜Ｓ７：停止状態のときにレンズカバー１５が開けられる＞
停止状態にあるときに、レンズカバー１５が開けられたら、ＣＰＵ３０はカメラモードに切り換え、撮像スタンバイ状態とする。
＜Ｓ８：停止状態でのカメラオン／オフキー１０の操作＞
上記Ｓ６の場合のように停止状態にあるときにカメラオン／オフキー１０が操作されたらＣＰＵ３０はオーディオモードを終了させてカメラモードを起動させるが、このカメラオン／オフキー１０が操作されたときにレンズカバー１５が閉状態であれば、写真閲覧状態でカメラモードを起動する。
＜Ｓ９：停止状態でのタイムアウト＞
ＣＰＵ３０は、停止状態において、操作がなされないまま所定時間（例えば３分など）経過したら、タイムアウトとして主電源をオフとしスリープ状態に移行する。
＜Ｓ１０：停止状態からの再生操作＞
停止状態にあるときに、集中コントローラのプッシュ操作、即ち再生操作が行われたら、ＣＰＵ３０は再生状態に移行する。つまり再生動作を開始させる。
【００４７】
＜Ｓ１１：再生状態でのカメラオン／オフキー１０の操作＞
再生状態にあるときにカメラオン／オフキー１０が操作されたら、ＣＰＵ３０は再生を停止させ、オーディオモードからカメラモードに切り換える。但し、このカメラオン／オフキー１０が操作されたときにレンズカバー１５が開状態であれば、撮像スタンバイ状態でカメラモードを起動する。
＜Ｓ１２：再生状態のときにレンズカバー１５が開けられる＞
再生状態にあるときに、レンズカバー１５が開けられたら、ＣＰＵ３０は再生を停止させてカメラモードに切り換え、撮像スタンバイ状態とする。
＜Ｓ１３：再生状態でのカメラオン／オフキー１０の操作＞
上記Ｓ１１の場合のように再生状態にあるときにカメラオン／オフキー１０が操作されたらＣＰＵ３０はオーディオモードを終了させてカメラモードを起動させるが、このカメラオン／オフキー１０が操作されたときにレンズカバー１５が閉状態であれば、写真閲覧状態でカメラモードを起動する。
＜Ｓ１４：再生状態での停止操作＞
ＣＰＵ３０は、再生状態において、ストップ／キャンセルキー７が操作されたら、再生を終了させ、停止状態に移行する。
＜Ｓ１５：再生終了＞
オーディオデータの再生が終了したら、ＣＰＵ３０は停止状態に移行させる。
【００４８】
＜Ｓ１６：撮像スタンバイ状態のときにレンズカバー１５が閉じられる＞
撮像スタンバイ状態にあるときに、レンズカバー１５が閉じられたら、ＣＰＵ３０は写真閲覧状態に切り換える。
＜Ｓ１７：撮像スタンバイ状態でのカメラオン／オフキー１０の操作＞
撮像スタンバイ状態にあるときにカメラオン／オフキー１０が操作されたら、ＣＰＵ３０はカメラモードを終了させて主電源をオフとし、スリープ状態に移行する。
＜Ｓ１８：撮像スタンバイ状態でのタイムアウト＞
ＣＰＵ３０は、撮像スタンバイ状態において、操作がなされないまま所定時間（例えば３分など）経過したら、タイムアウトとして主電源をオフとしスリープ状態に移行する。
【００４９】
＜Ｓ１９：写真閲覧状態のときにレンズカバー１５が開けられる＞
写真閲覧状態にあるときに、レンズカバー１５が開けられたら、ＣＰＵ３０は撮像スタンバイ状態に切り換える。
＜Ｓ２０：写真閲覧状態でのカメラオン／オフキー１０の操作＞
写真閲覧状態にあるときにカメラオン／オフキー１０が操作されたら、ＣＰＵ３０はカメラモードを終了させて主電源をオフとし、スリープ状態に移行する。
＜Ｓ２１：写真閲覧状態でのタイムアウト＞
ＣＰＵ３０は、写真閲覧状態において、操作がなされないまま所定時間（例えば３分など）経過したら、タイムアウトとして主電源をオフとしスリープ状態に移行する。
【００５０】
以上のようにＣＰＵ３０はユーザーの操作や条件に応じて動作状態を切り換える。続いて、このような動作状態遷移を実現するための、各動作状態時におけるＣＰＵ３０の処理図６〜図１０で説明していく。
なお、図６〜図１０は、各動作状態において、動作状態の遷移に関する処理のみを示すものであり、各動作状態において実行される動作（例えば再生状態における再生制御や一時停止制御など）については説明を省略している。
また、図５におけるＳ１〜Ｓ２１の状態遷移を図６〜図１０の処理の説明中に付記する。
【００５１】
［５．スリープ状態からの動作状態遷移処理］
スリープ状態におけるＣＰＵ３０の動作状態遷移に関する処理を図６に示す。
スリープ状態では、ＣＰＵ３０はステップＦ１０１，Ｆ１０２，Ｆ１０３，Ｆ１０４のループで、カメラオン／オフキー１０の操作、カバー連動スイッチ４５のオン／オフ変化、ウェイクアップ系操作、再生操作をそれぞれ監視している。
カメラオン／オフキー１０の操作が検出された場合は、ステップＦ１０１からＦ１０５に進み、その時点でカバー連動スイッチ４５のオン／オフ状態を検知してレンズカバー１５が開状態であるか閉状態であるかを判別する。
レンズカバー１５が開けられていれば、ステップＦ１０５からＦ１０８に進み、主電源オン制御及びカメラモードを起動して撮像スタンバイ状態とする制御を行う（図５のＳ１）。
一方、レンズカバー１５が閉められていれば、ステップＦ１０５からＦ１０７に進み、主電源オン制御及びカメラモードを起動して写真閲覧状態とする制御を行う（図５のＳ３）。
【００５２】
スリープ状態においてカバー連動スイッチ４５のオン／オフ変化が検出された場合は、ＣＰＵ３０はステップＦ１０２からＦ１０６に進み、そのカバー連動スイッチ４５の変化がオン→オフであったか、オフ→オンであったかによって処理を分岐する。カバー連動スイッチ４５が、仮にレンズカバー１５が開けられたときにオンとなるように構成されているとすると、カバー連動スイッチ４５の変化がオン→オフ、つまりレンズカバー１５が閉じられたものであったら、何も処理は行わずにステップＦ１０１〜Ｆ１０４の監視ループに戻る。
ところがカバー連動スイッチ４５の変化がオフ→オン、つまりレンズカバー１５が開けられたのであったら、ステップＦ１０６からＦ１０８に進み、主電源オン制御及びカメラモードを起動して撮像スタンバイ状態とする制御を行う（図５のＳ２）。
【００５３】
スリープ状態においてウェイクアップ系操作が検出された場合は、ＣＰＵ３０はステップＦ１０３からＦ１０９に進み、オーディオモードで主電源オン制御し、停止状態へ移行する（図５のＳ４）。このとき必要な表示制御を行って表示部４に所定の表示を実行させる。
【００５４】
スリープ状態において再生操作が検出された場合は、ＣＰＵ３０はステップＦ１０４からＦ１１０に進み、オーディオモードで主電源オン制御し、再生動作を開始させる（図５のＳ５）。例えばメディアドライブ部３４に、ディスク９０の最初のトラックからのオーディオ再生を指示する。或いは、前回オーディオ再生が停止されたときのアドレス（リジュームポイント）が記憶されていれば、そのリジュームポイントのアドレスからのオーディオ再生を実行させる。
また、再生開始制御と共に、必要な表示制御を行って表示部４に再生状態における所定の表示を実行させる。
【００５５】
［６．停止状態からの動作状態遷移処理］
停止状態におけるＣＰＵ３０の動作状態遷移に関する処理を図７に示す。
停止状態では、ＣＰＵ３０はステップＦ２０１，Ｆ２０２，Ｆ２０３，Ｆ２０４のループで、カメラオン／オフキー１０の操作、カバー連動スイッチ４５のオン／オフ変化、タイムアウト、再生操作をそれぞれ監視している。
カメラオン／オフキー１０の操作が検出された場合は、ステップＦ２０１からＦ２０５に進み、その時点でカバー連動スイッチ４５のオン／オフ状態を検知してレンズカバー１５が開状態であるか閉状態であるかを判別する。
レンズカバー１５が開けられていれば、ステップＦ２０５からＦ２０８に進み、カメラモードを起動して撮像スタンバイ状態とする制御を行う（図５のＳ６）。
一方、レンズカバー１５が閉められていれば、ステップＦ２０５からＦ２０７に進み、カメラモードを起動して写真閲覧状態とする制御を行う（図５のＳ８）。
【００５６】
停止状態においてカバー連動スイッチ４５のオン／オフ変化が検出された場合は、ＣＰＵ３０はステップＦ２０２からＦ２０６に進み、そのカバー連動スイッチ４５の変化がオン→オフであったか、オフ→オンであったかによって処理を分岐する。例えばカバー連動スイッチ４５の変化がオン→オフでレンズカバー１５が閉じられたものであったら、何も処理は行わずにステップＦ２０１〜Ｆ２０４の監視ループに戻る。
ところがカバー連動スイッチ４５の変化がオフ→オンでレンズカバー１５が開けられたのであったら、ステップＦ２０６からＦ２０８に進み、カメラモードを起動して撮像スタンバイ状態とする制御を行う（図５のＳ７）。
【００５７】
停止状態において、何も操作がなされないまま所定時間経過し、タイムアウトとなったことが検出されたら、ＣＰＵ３０はステップＦ２０３からＦ２０９に進み、主電源オフ制御を行い、スリープ状態へ移行する（図５のＳ９）。
【００５８】
停止状態において再生操作が検出された場合は、ＣＰＵ３０はステップＦ２０４からＦ２１０に進み、再生動作を開始させる（図５のＳ１０）。例えばメディアドライブ部３４に、ディスク９０の最初のトラックからのオーディオ再生を指示する。或いは、前回オーディオ再生が停止されたときのアドレス（リジュームポイント）が記憶されていれば、そのリジュームポイントのアドレスからのオーディオ再生を実行させる。さらには停止状態においてトラック一覧表示等が行われ、ユーザーが或るトラックを選択して再生操作を行ったのであったら、その選択されたトラックの再生を実行させる。
また、再生開始制御と共に、必要な表示制御を行って表示部４に再生状態における所定の表示を実行させる。
【００５９】
［７．再生状態からの動作状態遷移処理］
再生状態におけるＣＰＵ３０の動作状態遷移に関する処理を図８に示す。
再生状態では、ＣＰＵ３０はステップＦ３０１，Ｆ３０２，Ｆ３０３，Ｆ３０４のループで、カメラオン／オフキー１０の操作、カバー連動スイッチ４５のオン／オフ変化、停止操作、再生終了をそれぞれ監視している。
カメラオン／オフキー１０の操作が検出された場合は、ステップＦ３０１からＦ３０５に進み、その時点でカバー連動スイッチ４５のオン／オフ状態を検知してレンズカバー１５が開状態であるか閉状態であるかを判別する。
レンズカバー１５が開けられていれば、ステップＦ３０５からＦ３０９に進み、再生動作（一時停止動作を含む）を停止させると共に、そのときの再生音声として出力しているポイントに相当するアドレスをリジュームポイントとして記憶する。そしてステップＦ３１０に進み、カメラモードを起動して撮像スタンバイ状態とする制御を行う（図５のＳ１１）。
一方、ステップＦ３０５でレンズカバー１５が閉められていると判断されたら、ステップＦ３０７に進み、この場合も再生動作（一時停止動作を含む）を停止させると共に、そのときの再生音声として出力しているポイントに相当するアドレスをリジュームポイントとして記憶する。そしてステップＦ３０８に進み、カメラモードを起動して写真閲覧状態とする制御を行う（図５のＳ１３）。
【００６０】
再生状態においてカバー連動スイッチ４５のオン／オフ変化が検出された場合は、ＣＰＵ３０はステップＦ３０２からＦ３０６に進み、そのカバー連動スイッチ４５の変化がオン→オフであったか、オフ→オンであったか、つまりレンズカバー１５が開かれたのか閉じられたのかによって処理を分岐する。そしてカバー連動スイッチ４５の変化がオン→オフであってレンズカバー１５が閉じられたものであったら、何も処理は行わずにステップＦ３０１〜Ｆ３０４の監視ループに戻る。
ところがカバー連動スイッチ４５の変化がオフ→オンでレンズカバー１５が開けられたのであったら、ステップＦ３０６からＦ３０９に進み、再生動作の停止、リジュームポイントの記憶を行い、続いてステップＦ３１０で、カメラモードを起動して撮像スタンバイ状態とする制御を行う（図５のＳ１２）。
【００６１】
再生状態において停止操作が行われたら、ステップＦ３１１に進んで、再生動作の停止及びリジュームポイントの記憶を行い、ステップＦ３１２で停止状態に移行する（図５のＳ１４）。
再生状態において再生が終了した場合、例えばディスク９０に記録された全てのトラックの再生が終了したり、指定されたフォルダの全トラックの再生が終了したり、或いは指定されたトラックの再生が終了したなどの場合は、ＣＰＵ３０はステップＦ３０４からＦ３１２に進み、停止状態に移行する（図５のＳ１５）。
【００６２】
［８．撮像スタンバイ状態からの動作状態遷移処理］
撮像スタンバイ状態におけるＣＰＵ３０の動作状態遷移に関する処理を図９に示す。
撮像スタンバイ状態では、ＣＰＵ３０はステップＦ４０１，Ｆ４０２，Ｆ４０３のループで、カバー連動スイッチ４５のオン／オフ変化、カメラオン／オフキー１０の操作、タイムアウトをそれぞれ監視している。
本例の場合、撮像スタンバイ状態においては必ずレンズカバー１５は開状態であるため、ステップＦ４０１で検出されるカバー連動スイッチ４５のオン／オフ変化とは、レンズカバー１５が閉じられてカバー連動スイッチ４５がオンからオフになる場合である。この場合は、ＣＰＵ３０はステップＦ４０４に進み、撮像スタンバイ状態から写真閲覧状態に切り換える制御を行う（図５のＳ１６）。
【００６３】
撮像スタンバイ状態においてステップＦ４０２でカメラオン／オフキー１０の操作が検出された場合は、ＣＰＵ３０はステップＦ４０５に進み、主電源オフ制御を行い、スリープ状態へ移行する（図５のＳ１７）。
また撮像スタンバイ状態において何も操作がなされないまま所定時間経過し、タイムアウトとなったことが検出されたら、ＣＰＵ３０はステップＦ４０３からＦ４０５に進み、主電源オフ制御を行い、スリープ状態へ移行する（図５のＳ１８）。
【００６４】
［９．写真閲覧状態からの動作状態遷移処理］
写真閲覧状態におけるＣＰＵ３０の動作状態遷移に関する処理を図１０に示す。
写真閲覧状態では、ＣＰＵ３０はステップＦ５０１，Ｆ５０２，Ｆ５０３のループで、カバー連動スイッチ４５のオン／オフ変化、カメラオン／オフキー１０の操作、タイムアウトをそれぞれ監視している。
写真閲覧状態においては必ずレンズカバー１５は閉状態であるため、ステップＦ５０１で検出されるカバー連動スイッチ４５のオン／オフ変化とは、レンズカバー１５が開かれてカバー連動スイッチ４５がオフからオンになる場合である。この場合は、ＣＰＵ３０はステップＦ５０４に進み、写真閲覧状態から撮像スタンバイ状態に切り換える制御を行う（図５のＳ１９）。
【００６５】
写真閲覧状態においてステップＦ５０２でカメラオン／オフキー１０の操作が検出された場合は、ＣＰＵ３０はステップＦ５０５に進み、主電源オフ制御を行い、スリープ状態へ移行する（図５のＳ２０）。
また写真閲覧状態において何も操作がなされないまま所定時間経過し、タイムアウトとなったことが検出されたら、ＣＰＵ３０はステップＦ５０３からＦ５０５に進み、主電源オフ制御を行い、スリープ状態へ移行する（図５のＳ２１）。
【００６６】
［１０．実施の形態の効果及び変形例］
以上の本実施の形態のオーディオ・カメラ複合装置では、レンズカバー１５の開閉操作に応じて動作状態の遷移を行うことで、操作性、使用性を向上させることができる。
即ち、再生状態、停止状態、スリープ状態においては、レンズカバー１５を開けることで撮像スタンバイ状態に遷移するため、ユーザーは、オーディオモードで使用しているとき（及び使用していないスリープ状態）から、レンズカバー１５を開けて撮像レンズ部１９を表出させるという動作を行うのみで、撮像が可能となる。
レンズカバー１５を開けるのは、ユーザーが撮像を行おうとするときに感覚的に実行する操作であり、つまりユーザーは操作上の迷いなく、直感的な操作で撮像スタンバイとし、直ぐに撮像を行うことができる。これによって例えばモード切換操作にとまどってシャッタチャンスを逃すことなどが解消され、使用性を大きく向上させる。
【００６７】
またカメラオン／オフキー１０が操作されたときに、レンズカバー１５が開状態であれば撮像スタンバイ状態とし、レンズカバー１５が閉状態であれば写真閲覧状態とすることで、カメラモードを起動する際にユーザーの意図する状態で起動できる。これも操作性の向上につながる。
【００６８】
また、オーディオモードの再生状態、つまりオーディオ再生動作中にレンズカバー１５が開けられてカメラモード（撮像スタンバイ状態）に移行するときに、オーディオ再生を停止させるようにしている。これによっては、ユーザーは再生音声出力がなくなることで、装置がカメラモードに移行したことを明確に認識できる。また、カメラモードではオーディオ再生が実行されないことも認識できる。
そしてこれらは、ユーザーに、集中コントローラ５の操作機能がオーディオモードとカメラモードで変更されることも感覚的に理解し易いものとする。つまり集中コントローラ５の操作機能が、カメラモードとオーディオモードで兼用されて使い分けられることをユーザーが自然に認識でき、兼用操作子としての集中コントローラ５の操作が理解しやすいものとなる。
そして兼用操作子としての集中コントローラ５の操作をユーザーが理解しやすいものとすれば、兼用操作子を用いることに問題はなくなり、従って小型携帯用の複合機能機器としての操作キー等の削減にも有効である。
【００６９】
さらに、実行中のオーディオ再生動作を停止させてカメラモードに切り換える場合は、オーディオ再生の停止ポイント（リジュームポイント）を記憶する。そしてオーディオモードに復帰して再生動作を開始する際には、記憶されている停止ポイントからのオーディオデータの再生を実行させる。
これによって、撮像のためにオーディオ再生が一旦停止されても、その後ユーザーは続きの場所からオーディオ再生を楽しむことができる。従って、オーディオモードに戻った後に、続きの位置をサーチするなどの煩雑な操作は不要となる。又これによって、オーディオ再生を楽しんでいるときでも、ユーザーは、その再生位置を気にせずに躊躇なくレンズカバー手段を開けて撮像を行うことができる。
【００７０】
またオーディオモードにおける再生状態、停止状態、或いはスリープ状態においては、レンズカバー１５が開状態から閉状態となったことが検出されても、動作状態の切り換えは行わない。
レンズカバー１５は、本来撮像レンズ部１９を保護する機能があり、撮像を行わないときにはレンズカバー１５は閉状態にあるべきである。ところが、例えば撮像スタンバイ状態からカメラオン／オフキー１０の操作によってスリープ状態に移行したり、その後再生操作が行われて再生状態となる場合など、レンズカバー１５が開けられたままの状態で、スリープ状態、停止状態、再生状態となっている場合がある。
このようなとき、ユーザーは自然な感覚的動作で、撮像レンズ部１９の保護のためにレンズカバー１５を閉めるという動作を行うことが予想される。
そしてレンズカバー１５を閉めたときに、ユーザーは、動作状態が切り換えられることを予想しない。つまり、オーディオモード時にレンズカバー手段が閉められても、動作状態を変更しないことが、ユーザーの意志に沿ったものであり、またユーザーが望まない動作状態切換が行われてユーザーが操作上混乱するようなことも避けられる。
【００７１】
また、カメラモード時においては、レンズカバー１５が開状態となったことで撮像スタンバイ状態とし、一方、レンズカバー１５が閉状態となったことで写真閲覧状態とすることで、ユーザーの意志に応じた適切な動作状態遷移が実行される。ユーザーはレンズカバー１５の操作により、直感的な操作として撮像と、写真画像の閲覧を切り換えることができ、操作性は向上される。また、レンズカバー１５を撮像スタンバイ状態と写真閲覧状態を切り換えるための操作子とすることで、これらの状態遷移のための操作子を設ける必要はなく、操作子数の削減が可能となり、小型携帯用の機器として好適である。
さらには、撮像レンズ部１９を使用しない写真閲覧状態において、レンズカバー１５が閉じられることで、撮像レンズ部１９の保護にも好適である。
【００７２】
なお、実施の形態はオーディオ・カメラ複合装置としての例を挙げたが、オーディオ機能の１つとして録音機能を備えたものでも本発明は適用できる。
【００７３】
またオーディオ再生機能のない、カメラ装置でも本発明は好適である。即ちカメラ装置においては、レンズカバー１５が開状態となったことで撮像スタンバイ状態とし、またレンズカバー１５が閉状態となったことで写真閲覧状態とすることで、ユーザーの意志に応じた適切な動作状態遷移が実行され、また操作子の削減を実現できる。
さらにカメラオン／オフキー１０が設けられている場合に、その操作時においてレンズカバー１５が開いていれば撮像スタンバイ状態で起動し、閉じていれば写真閲覧状態で起動することで、ユーザーにとって好適な起動動作となる。
また撮像機能として、動画撮像を行うことのできるカメラ装置でも本発明を適用できる。
【００７４】
また、実施の形態ではオーディオデータや画像データを記録する記録媒体として例えばミニディスク方式のディスク９０を例に挙げたが、ＣＤ（Compact Disc）方式、ＤＶＤ（Digital Versatile Disc）方式、ブルーレイディスク（Blu-Ray Disc）方式等の他の規格の光ディスクが記録媒体として採用されるものでも良い。もちろん、ＨＤＤ（Hard Disc Drive）などの磁気ディスクメディア、或いはフラッシュメモリ等の固体メモリ、固体メモリを内蔵したメモリカード、磁気テープメディアなど、多様な記録媒体を本発明の記録再生装置の記録媒体として採用できる。
さらに、オーディオ・カメラ複合装置の場合において、オーディオデータが記録される記録媒体と撮像データが記録される記録媒体が別々に用意される構成も考えられる。
【図面の簡単な説明】
【００７５】
【図１】本発明の実施の形態のオーディオ・カメラ複合装置の正面図、平面図、左側面図、右側面図、底面図、背面図である。
【図２】実施の形態のレンズカバーの開閉状態の説明図である。
【図３】実施の形態のオーディオ・カメラ複合装置のブロック図である。
【図４】実施の形態の集中コントローラの操作機能の説明図である。
【図５】実施の形態の動作状態遷移の説明図である。
【図６】実施の形態のスリープ状態での動作状態遷移に関する処理のフローチャートである。
【図７】実施の形態の停止状態での動作状態遷移に関する処理のフローチャートである。
【図８】実施の形態の再生状態での動作状態遷移に関する処理のフローチャートである。
【図９】実施の形態の撮像スタンバイ状態での動作状態遷移に関する処理のフローチャートである。
【図１０】実施の形態の写真閲覧状態での動作状態遷移に関する処理のフローチャートである。
【符号の説明】
【００７６】
１  オーディオ・カメラ複合装置、４  表示部、５  集中コントローラ、１０  カメラオン／オフキー、１１  シャッタボタン、１５  レンズカバー、３０  ＣＰＵ、３４  メディアドライブ部、３５  バッファメモリ、３７  圧縮エンコード／デコード部、３８  カメラ／ＬＣＤブロック、４５  カバー連動スイッチ
【図１】
2006129123.tif 000003
【図２】
2006129123.tif 000004
【図３】
2006129123.tif 000005
【図４】
2006129123.tif 000006
【図５】
2006129123.tif 000007
【図６】
2006129123.tif 000008
【図７】
2006129123.tif 000009
【図８】
2006129123.tif 000010
【図９】
2006129123.tif 000011
【図１０】
2006129123.tif 000012